(57)【要約】【課題】構築されるストーリーの可視化を助けるような、使用の自由度の高い筆記用媒体を実現する。【解決手段】ストーリーを構成する要素を記入可能な複数の正方形状または長方形状の領域の輪郭に沿った複数本の線分からなる枠線と、前記枠線が示唆する正方形状または長方形状の領域を、寸法が相異なる複数の無地の正方形状または長方形状の区画に区分する、前記枠線よりも目立ちにくいガイド線とが予め印刷されている筆記用媒体を構成した。【選択図】図２
2017205931.tif 000002
【特許請求の範囲】
【請求項１】
ストーリーを構成する要素を記入可能な複数の正方形状または長方形状の領域の輪郭に沿った複数本の線分からなる枠線と、
前記枠線が示唆する正方形状または長方形状の領域を、寸法が相異なる複数の無地の正方形状または長方形状の区画に区分する、前記枠線よりも目立ちにくいガイド線と
が予め印刷されている筆記用媒体。
【請求項２】
前記枠線及びガイド線が印刷されている表面とは反対側の裏面における、前記枠線が示唆する正方形状または長方形状の領域内に対応する部位に、方眼罫が予め印刷されている請求項１記載の筆記用媒体。
【請求項３】
ストーリーを構成する要素を記入可能な複数の正方形状または長方形状の領域の輪郭に沿った複数本の線分からなる枠線と、
前記枠線が示唆する正方形状または長方形状の領域を、寸法が相異なる複数の正方形状または長方形状の区画に区分する、前記枠線よりも目立ちにくいガイド線と、
前記枠線が示唆する正方形状または長方形状の領域内に付される、前記ガイド線よりも目立ちにくい方眼罫と
が予め印刷されている筆記用媒体。
【請求項４】
前記方眼罫は、前記ガイド線よりも線幅が細い、ガイド線とは色の異なる、または点線、破線若しくは鎖線である請求項２または３記載の筆記用媒体。
【請求項５】
前記ガイド線は、前記枠線よりも線幅が細い、枠線とは色の異なる、または点線、破線若しくは鎖線である請求項１、２、３または４記載の筆記用媒体。
【請求項６】
前記枠線が示唆する領域の寸法が、所定の付箋の寸法に等しいか略等しい請求項１、２、３、４または５記載の筆記用媒体。
【請求項７】
前記枠線及び前記ガイド線が示唆する正方形状または長方形状の区画の寸法が、所定の付箋の寸法に等しいか略等しい請求項１、２、３、４、５または６記載の筆記用媒体。
【請求項８】
前記枠線が示唆する領域に隣接し当該領域よりも面積の小さい正方形状または長方形状の領域の輪郭に沿った一本または複数本の線分からなる補枠線が予め印刷されており、
前記補枠線及び前記ガイド線が示唆する正方形状または長方形状の領域の寸法が、前記枠線が示唆する領域の寸法に等しいか略等しい請求項１、２、３、４、５、６または７記載の筆記用媒体。
【請求項９】
前記枠線、前記ガイド線及び前記補枠線の組が一枚の内に所定数配列されている８記載の筆記用媒体。
【発明の詳細な説明】
【技術分野】
【０００１】
本発明は、文字や図形等を書き込むことのできる筆記用の媒体に関する。
【背景技術】
【０００２】
一般的なノートのページやレポート用紙、ルーズリーフ等には、所定の行方向に伸び一定間隔で配列された多数本の罫線が印刷されており、ユーザがその罫線に沿って文字を筆記し文章を簡便に記述できるようになっている。
【０００３】
一方で、このような罫線は、用紙内の任意の箇所に図やグラフ、イラスト、注釈的なメモ等を記入または挿入する際には用途には必ずしも適さない。今日、行が連続する文章の形態に拘束されない柔軟な筆記を可能とする無地のノートや、方眼罫が印刷されたノート等が流通している（例えば、下記先行技術文献を参照）。
【０００４】
マーケティングや商品企画を担うビジネスパーソン、映像クリエイター、広告クリエイター、デザイナー等にとっては、ストーリーを考え描くことが重要な仕事となっている。プレゼンテーションやプロモーションもまた、ストーリーで決まると言っても過言ではない。それ故に、構築されるストーリーを可視化しやすい新たなタイプの筆記用紙が求められている。
【先行技術文献】
【非特許文献】
【０００５】
【非特許文献１】「キャンパスノート」、コクヨ総合カタログ２０１６年版ステーショナリー編、コクヨ株式会社、２０１５年１２月、ｐ．６９７−７１３
【発明の概要】
【発明が解決しようとする課題】
【０００６】
本発明は、構築されるストーリーの可視化を助けるような、使用の自由度の高い筆記用媒体を実現することを所期の目的とする。
【課題を解決するための手段】
【０００７】
本発明に係る筆記用媒体は、ストーリーを構成する要素を記入可能な複数の正方形状または長方形状の領域の輪郭に沿った複数本の線分からなる枠線と、前記枠線が示唆する正方形状または長方形状の領域を、寸法が相異なる複数の無地の正方形状または長方形状の区画に区分する、前記枠線よりも目立ちにくいガイド線とが予め印刷されているものである。「ストーリー」とは、狭義の物語、シナリオ、映像の絵コンテ等よりも広い概念であって、複数枚のスライドからなるプレゼンテーション等の他、複数の要素からなるひとまとまりの情報も、ここに言うストーリーに含まれる。
【０００８】
その上で、前記枠線及びガイド線が印刷されている表面とは反対側の裏面における、前記枠線が示唆する正方形状または長方形状の領域内に対応する部位に、方眼罫が予め印刷されていれば、用紙の表面側から裏面側の方眼罫を透かし見ることが可能となる。このようなものであれば、方眼罫が同用紙の表面側への筆記を徒に妨げず、それでいて方眼罫を文字や図形等の記入位置の目安とすることができる。
【０００９】
あるいは、ストーリーを構成する要素を記入可能な複数の正方形状または長方形状の領域の輪郭に沿った複数本の線分からなる枠線と、前記枠線が示唆する正方形状または長方形状の領域を、寸法が相異なる複数の正方形状または長方形状の区画に区分する、前記枠線よりも目立ちにくいガイド線と、前記枠線が示唆する正方形状または長方形状の領域内に付される、前記ガイド線よりも目立ちにくい方眼罫とが予め印刷されている筆記用媒体としても、本発明の所期の目的を達成し得る。
【００１０】
前記方眼罫は、前記ガイド線よりも線幅が細い、ガイド線とは色の異なる、または点線、破線若しくは鎖線であることが好ましい。「色の異なる」には、方眼罫とガイド線とで濃淡が異なる、方眼罫の色がガイド線の色よりも薄いことが含まれる。
【００１１】
前記ガイド線は、前記枠線よりも線幅が細い、枠線とは色の異なる、または点線、破線若しくは鎖線であることが好ましい。「色の異なる」には、ガイド線と枠線とで濃淡が異なる、ガイド線の色が枠線の色よりも薄いことが含まれる。
【００１２】
前記枠線が示唆する領域の寸法が、所定の付箋の寸法に等しいか略等しいならば、そのような付箋を所要の領域に貼付する作業が容易となる。
【００１３】
前記枠線及び前記ガイド線が示唆する正方形状または長方形状の区画の寸法が、所定の付箋の寸法に等しいか略等しいならば、そのような付箋を所要の区画に貼付する作業が容易となる。
【００１４】
前記枠線が示唆する領域に隣接し当該領域よりも面積の小さい正方形状または長方形状の領域の輪郭に沿った一本または複数本の線分からなる補枠線が予め印刷されていれば、当該補枠線及び前記ガイド線が示唆する正方形状または長方形状の領域にも、ストーリーを構成する要素を記入可能となる。さらに、前記補枠線及び前記ガイド線が示唆する正方形状または長方形状の領域の寸法が、前記枠線が示唆する領域の寸法に等しいか略等しいならば、枠線が示唆する領域の寸法と同寸の付箋を、補枠線及びガイド線が示唆する領域にも貼付することができる。
【００１５】
連続的な複数の要素からなるストーリーを用紙内に表現できるようにするためには、前記枠線、前記ガイド線及び前記補枠線の組が一枚の内に所定数配列されることが望ましい。
【発明の効果】
【００１６】
本発明によれば、構築されるストーリーの可視化を助けるような、使用の自由度の高い筆記用媒体を実現することができる。
【図面の簡単な説明】
【００１７】
【図１】本発明の一実施形態の冊子を開いた状態を示す斜視図。
【図２】同実施形態の筆記用媒体の表面を示す平面図。
【図３】同実施形態の筆記用媒体の裏面を示す底面図。
【図４】同実施形態の筆記用媒体の裏面側に印刷された方眼罫を表面側から透かし見た状態を示す図。
【図５】同実施形態の筆記用媒体の使用例を示す図。
【図６】同実施形態の筆記用媒体の使用例を示す図。
【図７】本発明の変形例の一の冊子を開いた状態を示す斜視図。
【図８】同変形例の筆記用媒体の表面を示す平面図。
【図９】本発明の変形例の一の筆記用媒体を示す平面図。
【図１０】本発明の変形例の一の筆記用媒体を示す平面図。
【図１１】本発明の変形例の一の筆記用媒体を示す平面図。
【図１２】本発明の変形例の一の筆記用媒体を示す平面図。
【発明を実施するための形態】
【００１８】
本発明の一実施形態を、図面を参照して説明する。図１に、本実施形態に係る筆記用媒体たる用紙１を複数枚（例えば、二十枚以上の多数枚）綴じてなる冊子０を示している。図２は、冊子０の各ページを構成する用紙１を表面側から見たものであり、図３は、同用紙１を裏面側から見たものである。冊子０の各ページの用紙１は、冊子０から引き剥がして単独の筆記用紙１として使用することが可能である。無論、一般的なノート、例えば無線綴じノートや糸綴じノート、リングノート等のように、各ページの用紙１が冊子０から脱離しないよう綴じられていても構わない。
【００１９】
図２に示すように、用紙１の表面には、方形状の領域１１の輪郭に沿った枠線２と、当該枠線２が示唆する方形状の領域１１を寸法が相異なる複数の無地の区画１１１、１１２に区分するガイド線３と、当該枠線２が示唆する領域１１に隣接しその領域１１よりも面積の小さい方形状の無地の領域１２の輪郭に沿った補枠線４とが予め印刷されている。
【００２０】
枠線２は、領域１１を一周連続して包囲する四本の（例えば、線幅（太さ）が２ポイントの）実線の線分２１、２２、２３、２４からなる四方枠である。枠線２が包囲する領域１１は、横に長い長方形状をなし、その横縦比は４：３である。一つの領域１１の一辺の寸法、即ち枠線２を構成する線分２１、２２、２３、２４の長さは、少なくとも５０ｍｍ以上確保することが好ましい。本実施形態では、領域１１の短手方向である縦方向の寸法（線分２２、２４の長さ）を７５ｍｍに、長手方向である横方向の寸法（線分２１、２３の長さ）を１００ｍｍに、それぞれ設定している。
【００２１】
ガイド線３は、枠線２が示唆する領域１１を左右二つの区画１１１、１１２に区分する実線の縦線である。ガイド線３の両端はそれぞれ、枠線２が示唆する領域１１の端まで（即ち、線分２１、２３まで）達している。ガイド線３は、枠線２と比較して目立たないよう、枠線２よりも細い線、具体的には枠線２の約半分の線幅の（例えば、１ポイントの）線としている。ガイド線３が区分する二つの区画１１１、１１２のうちの左方の区画１１１は、一辺の長さが領域１１の縦寸法と一致する正方形状またはこれに略等しい形状をなす。そして、右方の区画１１２は、横縦比が１：３の縦に長い長方形状またはこれに略等しい形状をなす。
【００２２】
補枠線４は、領域１２を三方から包囲する三本の実線の線分４１、４２、４３からなる三方枠であり、当該領域１２に隣接している枠線２の線分２２とともに当該領域１２を一周連続して包囲する四方枠を構成する。補枠線４の線分４１、４２、４３は、枠線２の線分２１、２２、２３、２４と同等の外観を有する。即ち、補枠線４の線幅や色は、枠線２のそれに等しい。一つの領域１２の一辺の寸法、即ち補枠線４を構成する線分４１、４２、４３の長さは、少なくとも５０ｍｍ以上確保することが好ましい。本実施形態では、領域１２の縦方向及び横方向の寸法（線分４１、４２、４３の長さ）を７５ｍｍに設定している。つまり、補枠線４が包囲する領域１２は、一辺の長さが領域１１の縦寸法と一致する正方形状またはこれに略等しい形状をなす。さらに、補枠線４及びガイド線３が示唆する長方形状の領域、換言すれば領域１２と区画１１２とを合わせた領域の寸法は、枠線２が示唆する領域１１の寸法に等しいか略等しい。
【００２３】
領域１１と領域１２とを合わせた全体の最外郭、換言すれば枠線２のうちの（領域１２に隣接した線分２２を除く）三辺２１、２３、２４及び補枠線４がなす大外枠は、横縦比が概ね１：２．３５の長方形状となっている。つまり、領域１１及び領域１２を囲繞する大外枠の横幅が、その縦幅の二倍以上に拡張している。因みに、横縦比１：２．３５は、映画のスコープサイズ（ワイドスクリーン）に相当する。
【００２４】
上記の枠線２、ガイド線３及び補枠線４の組は、一枚の用紙１内に複数配列される。本実施形態では、Ａ４寸法の用紙１上に、縦方向に沿って所定寸法の間隔を隔てて三段の枠線２、ガイド線３及び補枠線４の組を設けている。つまり、相互に隣接して一体をなす領域１１及び領域１２が、縦方向に沿って三段存在している。
【００２５】
図３に示すように、本実施形態の用紙１の裏面には、実線の方眼罫５が予め印刷されている。方眼罫５の目の大きさは、領域１１が内包する区画１１１、１１２や領域１２の寸法と比較して顕著に小さい。用紙１の表面側には、方眼罫５が印刷されていない。だが、用紙１の表面側から方眼罫５を透かして見ることは可能である。その場合には、図４に示すように、方眼罫５が枠線２や補枠線４に囲まれた領域１１、１２内にさりげなく現れるような様相を呈する。方眼罫５は、枠線２や補枠線４、ガイド線３と比較して目立たないよう、これらよりも細い（例えば、０．２ポイントの）線としている。
【００２６】
本実施形態の用紙１または冊子０を使用すれば、ユーザの頭の中で構築されるストーリーを簡便に可視化することが可能である。即ち、図５及び図６に例示するように、ストーリーを構成する要素である図やグラフ、イラスト、注釈的なメモ、または文章等を、用紙１上に存在する複数の領域１１、１２に順次記入することで、あるいは複数枚の用紙１に跨って記入することで、ストーリーを可視化できる。
【００２７】
また、本実施形態の用紙１または冊子０は、付箋６、７とともに好適に用いることができる。用紙１上に設けられた領域１１の寸法は、長方形状をなす所定の規格の付箋６の寸法に等しいか略等しい。具体的には、縦７４ｍｍ、横１０５ｍｍ、または縦１０５ｍｍ、横７４ｍｍのＡ７寸法の付箋６が、領域１１の大きさに合致している。よって、図５に示すように、そのような付箋６を、任意の領域１１の上に重ねて貼付することができる。
【００２８】
加えて、用紙１上に設けられた区画１１２と領域１２とを合わせた領域の寸法が、領域１１の寸法に等しいか略等しいことから、図５に示すように、同じ規格の付箋６を、任意の区画１１２及び領域１２の上に重ねて貼付することもできる。その際には、貼付する付箋６の縁辺を、ガイド線３及び補枠線４に合わせるようにする。
【００２９】
また、用紙１上に設けられた区画１１１の寸法、及び領域１２の寸法はそれぞれ、正方形状をなす所定の規格の付箋７の寸法に等しいか略等しい。具体的には、縦７４ｍｍかつ横７４ｍｍの寸法の付箋７が、区画１１１または領域１２の大きさに合致している。よって、図６に示すように、そのような付箋７を、任意の区画１１１または任意の領域１２の上に重ねて貼付することができる。
【００３０】
そして、図やグラフ、イラスト、メモ、文章等を記入した付箋６、７を、用紙１上の任意の領域１１、１２または区画１１１、１１２に貼付したり、一旦貼付した付箋６、７を用紙１から剥がして別の領域１１、１２または区画１１１、１１２に再度貼付したりすることで、ストーリーの要素の順番を入れ替えながらストーリーを構築または整理することが可能となる。
【００３１】
上掲の付箋６、７の他にも、一辺の長さが領域１１の縦方向の寸法または横方向の寸法に合致している付箋、例えば縦７４ｍｍ、横５２ｍｍのＡ８寸法の付箋や、縦１３５ｍｍ、横１００ｍｍの大判の寸法の付箋を、本実施形態の用紙１とともに使用することができる。
【００３２】
本実施形態では、ストーリーを構成する要素を記入可能な複数の長方形状の領域１１の輪郭に沿った複数本の線分２１、２２、２３、２４からなる枠線２と、前記枠線２が示唆する正方形状または長方形状の領域１１を、寸法が相異なる複数の無地の正方形状または長方形状の区画１１１、１１２に区分する、前記枠線２よりも目立ちにくいガイド線３とが予め印刷されている冊子０の用紙１を構成した。
【００３３】
本実施形態に係る冊子０の用紙１は、ユーザが考えるストーリーを可視化しやすいよう、複数の矩形状の領域１１、１２を配列してなるものである。また、本実施形態の用紙１は、（冊子０ののど（綴じ元）側の端部に予めミシン目が形成される等して）冊子０から一枚一枚を切り離せるカットオフタイプのものであり、用紙１全体に亘って記載された複数の要素を俯瞰して見ることが可能である。本実施形態によれば、構築されるストーリーの可視化を助けるような、使用の自由度の高い筆記用紙１が実現される。
【００３４】
想定されるユーザは、例えば、マーケティングや商品企画等に携わるビジネスパーソンや、映像クリエイター、広告クリエイター、デザイナー、その他である。そして、企画会議等のプレゼンテーションや、企画のストーリー作成の場において、本実施形態の用紙１を用い、図やグラフ、説明文等といったプレゼンテーションに必要な要素を、同時に可視化することができる。ストーリーがはっきり決まっていない初期段階でのアイディア出しや、アイディアスケッチの展開、ブレーンストーミングやコメント等のまとめ作業、グループ分け、あるいは、広告・ＣＭ作成のための簡易的なストーリーボードとして活用する等、様々な利用法が考えられる。具体的用途に応じて、用紙１を縦方向に使うことも横方向に使うこともできる。用紙１が冊子０から脱離できるカットオフタイプである場合、そのコピーやスキャニングが容易で、配付資料としてすぐに配ることも可能となる。
【００３５】
また、前記枠線２及びガイド線３が印刷されている表面とは反対側の裏面における、前記枠線２や前記補枠線４が示唆する領域１１、１２内に対応する部位に、方眼罫５が予め印刷されており、用紙１の表面側から裏面側の方眼罫５を透かし見ることができる。この方眼罫５は、用紙１の表面側に付されている枠線２やガイド線３、補枠線４よりも線幅が細くて目立ちにくく、用紙１の表面側に図形や文字等を記入する際の記入位置の目安となりながらも、その記入された内容の読解の妨げとならない。
【００３６】
前記ガイド線３は、その線幅が前記枠線２よりも細いため、用紙１に設けられた領域１１内に図形や文字等を記入する際に邪魔とならず、また領域１１内に記入された内容の読解を徒に妨げない。
【００３７】
前記枠線２が示唆する長方形状の領域１１の寸法が、所定の長方形状の付箋６の寸法に等しいか略等しいため、当該領域１１に付箋６を重ね合わせて貼付することができる。
【００３８】
前記枠線２及び前記ガイド線３が示唆する正方形状の区画１１１の寸法や、前記補枠線４が示唆する領域１２の寸法が、所定の正方形状の付箋７の寸法に等しいか略等しいため、当該区画１１１または当該領域１２に付箋７を重ね合わせて貼付することができる。
【００３９】
並びに、前記枠線２が示唆する領域１１に隣接し当該領域１１よりも面積の小さい正方形状の無地の領域１２の輪郭に沿った複数本の線分４１、４２、４５からなる補枠線４が予め印刷されており、前記補枠線４及び前記ガイド線３が示唆する（領域１２に区画１１２を合わせた）長方形状の領域の寸法が、前記枠線２が示唆する領域１１の寸法に等しいか略等しいため、当該領域にも所定の長方形状の付箋６を重ね合わせて貼付することができる。
【００４０】
そして、ストーリーを構成する複数の要素の各々を個々の付箋６、７に記入し、その付箋６、７を用紙１上の任意の領域１１、１２または区画１１１、１１２に貼付することで、ストーリーを構築し、またその内容の検討作業を行うことができる。さらには、付箋６、７の貼り替えを通じて、ストーリーの要素の順番を容易に入れ替え、またはストーリーを組み替えることができる。
【００４１】
前記枠線２、前記ガイド線３及び前記補枠線４の組が一枚の用紙１内に所定数配列されているため、一枚の用紙１内に複数のストーリーの要素を記入でき、ストーリーを展開させることが可能である。
【００４２】
なお、本発明は以上に詳述した実施形態に限られるものではない。例えば、上記実施形態の用紙１に印刷されている枠線２は実線であったが、枠線２が点線、破線若しくは鎖線であっても構わない。同様に、補枠線４も、点線、破線若しくは鎖線であることがある。
【００４３】
上記実施形態では、ガイド線３が枠線２及び補枠線４と比較して線幅の細い実線であったが、ガイド線３を枠線２及び補枠線４とは色の異なる（濃淡が異なる、即ち色がより薄いことを含む）線とすることで、ガイド線３を枠線２及び補枠線４よりも目立ちにくくする態様もとり得る。あるいは、ガイド線３を枠線２及び補枠線４とは種類の異なる線、例えば点線、破線若しくは鎖線として、ガイド線３を枠線２及び補枠線４よりも目立ちにくくすることも考えられる。
【００４４】
上記実施形態では、方眼罫５が、枠線２、補枠線４及びガイド線３と比較して線幅の細い実線であったが、方眼罫５を枠線２、補枠線４及びガイド線３とは色の異なる（濃淡が異なる、即ち色がより薄いことを含む）線とすることで、方眼罫５を枠線２、補枠線４及びガイド線３よりも目立ちにくくする態様もとり得る。あるいは、方眼罫５を枠線２、補枠線４及びガイド線３とは種類の異なる線、例えば点線、破線若しくは鎖線として、方眼罫５を枠線２、補枠線４及びガイド線３よりも目立ちにくくすることも考えられる。
【００４５】
図７及び図８に示すように、方眼罫５を用紙１の表面に印刷しても構わない。図７及び図８に示す変形例は、Ｂ５寸法の用紙１上に、縦方向に沿って間隔を隔てずに三組の枠線２、ガイド線３及び補枠線４の組を設けたものであり、相互に隣接して一体をなす領域１１及び領域１２が、用紙１の縦方向に沿って三段存在している。
【００４６】
用紙１の寸法は、Ａ４やＢ５には限定されず、Ａ５寸法、Ｂ６寸法、Ａ６寸法等であることも当然にあり得る。
【００４７】
用紙１上に印刷された枠線２が示唆する領域１１は、長方形状をなしていてもよい。また、ガイド線３により区分された区画１１１、１１２のうちの左方の区画１１１が長方形状をなしていてもよく、右方の区画１１２が正方形状をなしていてもよい。並びに、用紙１上に印刷された補枠線４が示唆する領域１２が、正方形状をなしていても構わない。
【００４８】
上記実施形態では、枠線２が完全に閉じた四方枠状をなし、かつ補枠線４もまた枠線２に接合して完全に閉じた三方枠状をなしていた。しかしながら、方形状の領域１１を示唆する枠線２は、当該枠線２の要素となる線分２１、２２、２３、２４が当該領域１１の輪郭に沿っており、並びに、それら各線分２１、２２、２３、２４の両端がそれぞれ当該領域１１の四隅の角の頂点の何れかに合致し、若しくはそれら各線分２１、２２、２３、２４の延長線上に当該領域１１の四隅の角の頂点が存在していればよい。従って、用紙１の表面に印刷される枠線２は、図９に示すように三方枠状をなす三本の線分２１、２２、２３からなることもあれば、図１０に示すように同じ長さの平行な二本の線分２２、２４からなることもある。図１１に示すように、枠線２が、直交してＬ字形をなす二本の線分２２、２３からなることもあり得る。
【００４９】
枠線２が示唆する領域１１に隣接した方形状の領域１２を示唆する補枠線４についても、当該補枠線４の要素となる線分４１、４２、４３が当該領域１２の輪郭に沿っており、並びに、それら各線分４１、４２、４３の両端がそれぞれ当該領域１２の四隅の角の頂点の何れかに合致し、若しくはそれら各線分４１、４２、４３の延長線上に当該領域１２の四隅の角の頂点が存在していればよい。従って、用紙１の表面に印刷される補枠線４は、図９に示すように二本の線分（領域１２に隣接する枠線２の線分２２とともに、当該領域１２の三方を包囲する三方枠を構成する）４１、４３からなることもあれば、図１０に示すように枠線２の線分２２に平行な一本の線分４２からなることもある。図１１に示すように、補枠線４が、枠線２の線分２２に直交しこの線分２２とともにＬ字形をなす線分４３からなることもある。何れにせよ、補枠線４及びガイド線３は、領域１２に区画１１２を合わせた領域の輪郭に沿っており、それら各線分４１、４２、４３、３の両端がそれぞれ当該領域の四隅の角の頂点の何れかに合致し、若しくはそれら各線分４１、４２、４３、３の延長線上に当該領域の四隅の角の頂点が存在することとなる。
【００５０】
あるいは、図１２に示すように、枠線２を構成する線分２１、２２、２３、２４の端同士が接合せず間隙が介在する態様や、補枠線４を構成する線分４１、４２、４３の端同士が接合せず間隙が介在する態様、及び／または、枠線２の線分２１、２２、２３の端と補枠線４の線分４１、４３の端とが接合せず間隙が介在する態様もとり得る。ガイド線３の両端もまた、枠線２が示唆する領域１１の端まで（即ち、線分２１、２３まで）達していなくともよい。
【００５１】
本発明は、冊子０の各ページを構成する用紙１だけでなく、元来一枚単位に分離しているルーズリーフやその他の筆記用媒体に適用することができる。
【００５２】
さらに、本発明を、紙以外の筆記用媒体に適用しても構わない。例えば、マーカペンを使用して筆記を行うことのできるホワイトボード等に、本発明を適用することが考えられる。
【００５３】
その他、各部の具体的構成は、本発明の趣旨を逸脱しない範囲で種々変形が可能である。
【産業上の利用可能性】
【００５４】
本発明は、文字や図形等を書き込むことのできる各種筆記用媒体に適用することができる。
【符号の説明】
【００５５】
０…冊子
１…筆記用媒体（用紙）
１１、１２…領域
１１１、１１２…区画
２…枠線
２１、２２、２３、２４…線分
３…ガイド線
４…補枠線
４１、４２、４３…線分
５…方眼罫
６、７…付箋
【図１】
2017205931.tif 000003
【図２】
2017205931.tif 000004
【図３】
2017205931.tif 000005
【図４】
2017205931.tif 000006
【図５】
2017205931.tif 000007
【図６】
2017205931.tif 000008
【図７】
2017205931.tif 000009
【図８】
2017205931.tif 000010
【図９】
2017205931.tif 000011
【図１０】
2017205931.tif 000012
【図１１】
2017205931.tif 000013
【図１２】
2017205931.tif 000014